(57)【要約】      （修正有）【課題】摩耗により著しい効率の低下を引き起こす前に、交換が必要なときにユーザーに知らせることができるようにポンプヘッドの摩耗を監視する。【解決手段】ポンプモニタリングシステムは、ポンプ本体（１２）、及びポンプ本体（１２）に取り外し可能に取り付けられたポンプヘッド（１４）を備えるポンプを含む。ＲＦＩＤトランスポンダー（２０）が、ポンプヘッド（１４）に固定されており、ポンプ本体（１２）のプロセッサ（２４）と通信するＲＦＩＤリーダー（２２）がポンプ本体（１２）内に配置されている。ＲＦＩＤトランスポンダーは、ポンプヘッドの作動に関する情報を受け取り、格納するように作動する。リーダーは、ＲＦＩＤトランスポンダーからの情報を読み取り、ＲＦＩＤトランスポンダーに更なる情報を送信するように作動する。プロセッサは、トランスポンダーから読み取った情報を解釈し、情報に応じてポンプの作動を制御する。【選択図】図１
2019167959.tif 000002
【特許請求の範囲】
【請求項１】
ポンプモニタリングシステムであって、
ポンプ本体、及びポンプ本体に取り外し可能に取り付けられたポンプヘッドを備えるポンプと、
ポンプヘッドに固定されたＲＦＩＤトランスポンダーと、
ポンプ本体のプロセッサと通信するＲＦＩＤリーダーと、を備え、
ＲＦＩＤトランスポンダーは、ポンプヘッドの作動に関する情報を受け取り、格納するように作動し、ＲＦＩＤリーダーは、ＲＦＩＤトランスポンダーからの情報を読み取り、ＲＦＩＤトランスポンダーに更なる情報を送信するように作動し、プロセッサは、トランスポンダーから読み取った情報を解釈し、情報に応じてポンプの作動を制御する、ポンプモニタリングシステム。
【請求項２】
ＲＦＩＤトランスポンダーに格納されている情報は、ポンプヘッドの識別子と、ポンプヘッドの使用回数を含む、請求項１に記載のポンプモニタリングシステム。
【請求項３】
ＲＦＩＤトランスポンダーに格納された情報は、ポンプヘッドが曝された摩耗量を示す値を含む、請求項１又は２に記載のポンプモニタリングシステム。
【請求項４】
プロセッサは、使用回数又は摩耗値が予め決定された閾値を越えたときにアラームを作動させる、請求項２又は３に記載のポンプモニタリングシステム。
【請求項５】
プロセッサは、使用回数又は摩耗値が、ポンプヘッドの予め決定された仕様以外のパターンの使用を示すときに、アラームを作動させる、請求項１乃至４のいずれか１項に記載のポンプモニタリングシステム。
【請求項６】
アラームは、可聴式、及び／又は可視式警告である、請求項４又は５に記載のポンプモニタリングシステム。
【請求項７】
プロセッサは、使用回数若しくは摩耗値が予め決定された閾値を越えた場合、又はポンプヘッドの予め決定された仕様以外のパターンの使用を示す場合、ポンプユニットが、ポンプヘッドの更なる作動を妨げるように作動する、請求項４乃至６のいずれか１項に記載のポンプモニタリングシステム。
【請求項８】
摩耗値は、ポンプヘッドの作動継続時間と、ポンプヘッドの作動速度との積である、請求項３に記載のポンプモニタリングシステム。
【請求項９】
ポンプは、蠕動ポンプである、請求項１乃至８のいずれか１項に記載のポンプモニタリングシステム。
【請求項１０】
ポンプ本体、及びポンプ本体に取り外し可能に取り付けられたポンプヘッドを備えるポンプのモニタリング方法であって、
ポンプヘッドにＲＦＩＤトランスポンダーを設け、
ポンプ本体のプロセッサと通信するＲＦＩＤリーダーを準備し、
ＲＦＩＤトランスポンダーを用いて、ポンプヘッドの作動に関する情報を受け取り、格納し、
ＲＦＩＤリーダーを用いて、ＲＦＩＤトランスポンダーから情報を読み取り、ポンプヘッドが作動する間、更なる情報をＲＦＩＤトランスポンダーに送信し、プロセッサを用いて、トランスポンダーから読み取った情報を解釈し、情報に応じてポンプの作動を制御する、方法。
【請求項１１】
ＲＦＩＤトランスポンダーに格納された情報は、ポンプヘッドの識別子を含み、
ＲＦＩＤトランスポンダーに更なる情報を送信するステップは、ポンプヘッドの使用回数を送信することを含む、請求項１０に記載の方法。
【請求項１２】
ＲＦＩＤに更なる情報を送信するステップは、ポンプが曝された摩耗量を示す値を送信することをさらに含む、請求項１０又は１１に記載の方法。
【請求項１３】
ＲＦＩＤトランスポンダーに格納され、ＲＦＩＤリーダーによって読み取られた情報が、使用回数又は摩耗値が予め決定された閾値を越えていることを示す場合、アラームを作動させるステップをさらに含む、請求項１１又は１２に記載の方法。
【請求項１４】
ＲＦＩＤトランスポンダーに格納され、ＲＦＩＤリーダーによって読み取られた情報が、ポンプヘッドの予め決定された仕様以外のパターンの使用を示していることを示す場合、アラームを作動させるステップをさらに含む、請求項１１乃至１３のいずれか１項に記載の方法。
【請求項１５】
使用回数若しくは摩耗値が予め決定された閾値を越えた場合、又はポンプヘッドの予め決定された仕様以外のパターンの使用を示す場合、ポンプユニットが、ポンプヘッドの更なる作動を妨げる、請求項１３又は１４に記載の方法。
【発明の詳細な説明】
【技術分野】
【０００１】
本発明は、特に蠕動ポンプに適したポンプモニタリングシステムに関し、使用及び摩耗、並びに予防メンテナンスに役立つシステムに関する。
【背景技術】
【０００２】
蠕動ポンプが多くの用途で、特に医療分野で使用されており、ここでは、圧送される液体を無菌状態で維持する必要がある。
【発明の概要】
【発明が解決しようとする課題】
【０００３】
典型的には、蠕動ポンプは、コントロールシステムを収容するメインポンプユニット、及びポンプユニットに取り外し可能に取り付けられた、回転可能なポンプヘッドを備える。ポンプヘッドは、圧送されるべき液体を運ぶ管を圧縮するローラを備える。ポンプヘッドは、使用されるにしたがって摩耗し、ポンプの効率を維持するために時々、交換する必要がある。したがって、摩耗により著しい効率の低下を引き起こす前に、交換が必要なときにユーザーに知らせることができるようにポンプヘッドの摩耗を監視することが望まれる。
【課題を解決するための手段】
【０００４】
本発明は、ポンプモニタリングシステムであって、ポンプ本体、及びポンプ本体に取り外し可能に取り付けられたポンプヘッドを備えるポンプと、ポンプヘッドに固定されたＲＦＩＤトランスポンダーと、ポンプ本体のプロセッサと通信するＲＦＩＤリーダーと、を備え、ＲＦＩＤトランスポンダーは、ポンプヘッドの作動に関する情報を受け取り、格納するように作動し、ＲＦＩＤリーダーは、ＲＦＩＤトランスポンダーからの情報を読み取り、ＲＦＩＤトランスポンダーに更なる情報を送信するように作動し、プロセッサは、トランスポンダーから読み取った情報を解釈し、情報に応じてポンプの作動を制御する。
【０００５】
好ましくは、ＲＦＩＤトランスポンダーに格納されている情報は、ポンプヘッドの識別子と、ポンプヘッドの使用回数を含む。
【０００６】
好ましくは、情報は、ポンプヘッドが曝された摩耗量を示す値を含む。
【０００７】
好ましくは、プロセッサは、使用回数又は摩耗値が予め決定された閾値を越えたときにアラームを作動させる。プロセッサは、使用回数又は摩耗値が、ポンプヘッドの予め決定された仕様以外のパターンの使用を示すときに、アラームを作動させる。アラームは、可聴式、及び／又は可視式警告であっても良い。使用回数若しくは摩耗値が予め決定された閾値を越えた場合、又はポンプヘッドの予め決定された仕様以外のパターンの使用を示す場合、ポンプユニットが、ポンプヘッドの更なる作動を妨げるように作動してもよい。
【０００８】
好ましい実施形態では、摩耗値は、ポンプヘッドの作動継続時間と、ポンプヘッドの作動速度との積である。
【０００９】
好ましくは、ポンプは蠕動ポンプである。
【００１０】
本発明は、ポンプ本体、及びポンプ本体に取り外し可能に取り付けられたポンプヘッドを備えるポンプのモニタリング方法を提供し、方法は、ポンプヘッドに固定されたＲＦＩＤトランスポンダーを準備し、ポンプ本体のプロセッサと通信するＲＦＩＤリーダーを準備し、ＲＦＩＤトランスポンダーを用いて、ポンプヘッドの作動に関する情報を受け取り、格納し、ＲＦＩＤリーダーを用いて、ＲＦＩＤトランスポンダーから情報を読み取り、ポンプヘッドが作動する間、更なる情報をＲＦＩＤトランスポンダーに送信し、プロセッサを用いて、トランスポンダーから読み取った情報を解釈し、情報に応じてポンプの作動を制御する。
【００１１】
好ましくは、ＲＦＩＤトランスポンダーに格納された情報は、ポンプヘッドの識別子を含み、ＲＦＩＤトランスポンダーに更なる情報を送信するステップは、ポンプヘッドの使用回数を送信することを含む。ポンプが曝された摩耗量を示す値を送信することをさらに含んでも良い。
【００１２】
好ましくは、方法は、ＲＦＩＤトランスポンダーに格納され、ＲＦＩＤリーダーによって読み取られた情報が、使用回数又は摩耗値が予め決定された閾値を越えていること、又はポンプヘッドの予め決定された仕様以外のパターンの使用を示していることを示す場合、アラームを作動させるステップをさらに含む。
【００１３】
方法は、使用回数若しくは摩耗値が予め決定された閾値を越えた場合、又はポンプヘッドの予め決定された仕様以外のパターンの使用を示す場合、ポンプユニットが、ポンプヘッドの更なる作動を妨げることを含んでもよい。
【００１４】
添付の図面を参照しながら本発明の詳細を例示の目的で説明する。
【図面の簡単な説明】
【００１５】
【図１】本発明の一実施形態によるポンプを示す概略図である。
【発明を実施するための形態】
【００１６】
ポンプ１０は、メインポンプユニット１２と、ポンプヘッド１４とを備える蠕動ポンプである。ポンプユニット１２は、電源に接続可能であり、コントロールシステムと、ポンプヘッド１４を駆動するための手段を有する。ポンプヘッド１４は、複数のローラ１８を有するローター１６を備える。ポンプヘッド１４は、ポンプユニット１２に取り外し可能に取り付けられる。ポンプユニット１２は、ポンプヘッド１４を回転させるように作動でき、回転速度（例えば、１分あたりの回転数−ＲＰＭ）及び作動の継続時間を制御する。使用中は、ローター１６の周りに可撓性チューブ２８が取り付けられる。ローター１６が回転すると、チューブ内に液体を通すためにローラ１８がチューブ２８を圧縮する。これらの特性は、従来の蠕動ポンプのものである。
【００１７】
本発明によれば、ポンプ１０は、以下のような追加の特徴を含む。ＲＦＩＤトランスポンダー又はタグ２０が、ポンプヘッド１４に恒久的に固定されている。ポンプユニット１２は、ポンプ１０の作動を制御するように作動するプロセッサ２４と通信するＲＦＩＤリーダー２２を含む。
【００１８】
タグ２０は、従来型のパッシブＲＦＩＤトランスポンダーであり、情報を格納するマイクロチップと、情報を受信し、送信するためのアンテナを含む。タグ２０は、劣化することなく、数千回にわたってマイクロチップの読み取り及びマイクロチップへの情報のさらなる書き込み、並びに再読み取りができるほど十分に長持ちする。
【００１９】
ＲＦＩＤリーダー２２は、情報を受信し、送信するためのアンテナを含む従来型のＲＦＩＤ読み取り／書き込みデバイスである。図１の破線矢印で概略的に示すように、タグ２０に格納された情報を読み取り、タグ２０に更なる情報を書き込むように作動する。タグ２０から読み取られた情報は、プロセッサ２４に通信され、プロセッサ２４が情報を解釈し、これに応じてポンプの作動を制御する。
【００２０】
タグ２０に格納された情報は、ポンプヘッド１４の識別子を含む。識別子は、ポンプヘッド１４のシリアル番号であっても良い。タグ２０は、恒久的にポンプヘッド１４に固定されているため、識別子は、ポンプヘッド１４がどのポンプユニット１２に取り付けられているに関わらず、ポンプヘッド１４を識別するのに役立つ。
【００２１】
タグ２０に格納されている情報は、ポンプヘッド１４の使用及び摩耗を示すデータを含む。好ましくは、使用値は、単に、ポンプヘッド１４が作動、即ち回転させられた回数を数えた記録である。ポンプヘッド１４が新しく、未使用である場合は、使用値はゼロである。ポンプヘッド１４が作動するたびに、この値は１ずつ増加する。使用値は、非常に短時間の作動に過ぎない場合でも、ポンプヘッド１４が作動するたびに増加する。これは、ある医療処置では、（使用者の反応時間によって）１秒又はこれよりも少ない短時間で一気に（in short burst）複数回使用されることがあるからである。
【００２２】
使用回数に加えて、ポンプヘッド１４の摩耗を示す値も記録される。ポンプヘッド１４の寿命は、作動した時間の合計だけによらず、使用の種類にもよる。ある用途では、ポンプは一定時間、連続的に駆動することもあり、他の用途では、短時間で一気に（in short burst）複数回使用される。これは、異なる摩耗特徴を生じさせる。同様に、回転速度も摩耗量に影響を及ぼすため、使用回数が同じであり、合計駆動時間が同じ２つのポンプヘッドでも、一方の回転速度が他方の２倍であれば、異なる摩耗特徴を有する。したがって、摩耗データは、好ましくは時間Ｔ（即ち、それぞれの使用についてどのくらいポンプヘッド１４が作動したか）と、回転速度Ｓとの積として取得される。したがって、それぞれの使用について記録される値は、Ｔ×Ｓである。摩耗値は累積的に記録され、それぞれの使用の後、摩耗値は以前の全ての使用から取得された合計に加算される。
【００２３】
使用回数、駆動時間、及び駆動速度に関する情報は、ポンプユニット１２内のプロセッサ２４によって測定され、必要な情報は、ＲＦＩＤリーダー２２に通信され、タグ２０に書き込まれ、その後タグ２０から読み取られる。情報は、どのポンプユニット１２に取り付けられているかに関わらずタグ２０に残される。タグ２０から読み取られた情報は、解釈のためにプロセッサに通信される。
【００２４】
使用値、又は摩耗値が予め決定された閾値を越えたことをプロセッサ２４が検出したら、プロセッサ２４は、ユーザーに対して警報２６を作動させる。これは、ポンプヘッド１４を交換すべきことをユーザーに通知するために、警報灯のような視覚的警報、及び／又は警報音のような聴覚的警報であってもよい。
【００２５】
その上、プロセッサ２４は、使用値又は摩耗値が所望の閾値を越えたときに、ポンプヘッド１４の更なる作動を妨げるように作動し、ユーザーにポンプヘッド１４の交換を強制しても良い。
【００２６】
タグ２０から読み取った情報がポンプ１４の誤操作を示す場合には、プロセッサ２４が警報を作動させ、及び／又はポンプ１０を停止させても良い。例えば、幾つかの使用プロフィールが特定のポンプヘッド１４の仕様外であることが知られているならば、この情報は、記録され、プロセッサ２４が、ユーザーに警告し又はポンプ１０の使用を停止させるために使用しても良い。
【００２７】
異なる医療処置によって、ポンプ１０の異なる使用パターンが要求され、ポンプヘッド１４の摩耗特徴が異なる。例えば、高い使用値及び低い摩耗値は、繰り返し使用しているが、短時間の低速度の使用を示し、内視鏡的粘膜下層剥離術（ESD）のような処置で起こり得る。低い使用値及び高い摩耗値は、長時間の高速度の使用を示し、消化管手術（ＧＩ）で起こり得る。したがって、タグ２０で収集された情報は、所与のポンプの典型的な使用実態を構築すると共に、ポンプヘッドを異なる方法で使用したときに期待される摩耗特徴の種類を構築する。この情報は、プロセッサ２４がポンプ１０の作動を制御し、警報２６を作動させるかの閾値を決定するために使用される。
【００２８】
この方法により、本発明は、ポンプヘッド１４の摩耗を容易にモニタリングでき、したがってポンプ１０の効率を維持できるシステムを提供する。圧送される液体がチューブ内にあり、ポンプのどの部分にも直接接触せず、圧力、又は流量センサのような他のポンプ効率のモニタリング方法の使用が困難な、又は不可能なことを意味する、蠕動ポンプにおいて特に有用である。それにも関わらず、本発明は、繰り返しの使用により部品が摩耗する種類のポンプに適用しても良い。したがって、ポンプヘッドへの言及は、使用により摩耗に曝され、かつポンプ効率を維持するために交換できるポンプの部品を含む。
【図１】
2019167959.tif 000003